(57)【要約】【課題】基板及びシャーシの対向面間への害虫の侵入を防止して、安全性を確保することができる表示装置を提供する。【解決手段】電子部品が一面に実装された基板と、該基板の他面に適長離隔して対向する面を有し、前記基板を支持するシャーシ５１とを備える表示装置において、シャーシ５１に形成された第１突出部５１ｂ，５１ｂの頂面をインバータ回路基板６４，６４の周縁部の全周に亘って当接させて、インバータ回路基板６４，６４及びシャーシ５１の対向面間の空間を囲繞しているから、前記対向面間へのゴキブリ等の害虫の侵入を阻止することができ、害虫の侵入による不具合の発生を防止して製品の安全性を確保することができる。また、シャーシ５１に第１突出部５１ｂ，５１ｂを形成しているから、別部材が不要である。【選択図】図２
2009069182.tif 000002
【特許請求の範囲】
【請求項１】
電子部品が一面に実装された基板と、該基板の他面に離隔して対向する面を有し、前記基板を支持する支持体とを備える表示装置において、前記支持体は、前記基板及び支持体の対向面間の空間を囲繞するように、前記基板に向けて突出し、該基板の他面の周縁部の略全周に亘って当接する突出部を有していることを特徴とする表示装置。
【請求項２】
電子部品が一面に実装された基板と、該基板の他面に離隔して対向する面を有し、前記基板を支持する支持体とを備える表示装置において、前記基板が一面に固定された固定板を備えており、前記支持体は、前記固定板及び支持体の対向面間の空間を囲繞するように、前記固定板に向けて突出し、該固定板の他面の周縁部の略全周に亘って当接する突出部を有していることを特徴とする表示装置。
【請求項３】
電子部品が一面に実装された基板と、該基板の他面に離隔して対向する面を有し、前記基板を支持する支持体とを備える表示装置において、前記基板及び支持体間に介装され、一面開口の筐体形状を有する固定台を備え、該固定台は、開口端を略全周に亘って前記支持体に当接させてあることを特徴とする表示装置。
【発明の詳細な説明】
【技術分野】
【０００１】
本発明は、害虫の侵入を防止して、安全性を確保することができる表示装置に関する。
【背景技術】
【０００２】
液晶表示装置、プラズマ表示装置等の表示装置は、画像表示面を有する表示部と、該表示部に電源を供給する電源回路部品、表示部を駆動する駆動回路部品等の電子部品と、これらを収容する筐体とを備えている。このような表示装置においては、表示部、電子部品等の発熱部品からの発熱により、筐体内部の温度が高くなるため、発熱部品からの熱を筐体外部に放熱すべく、放熱口が設けられている。
【０００３】
また表示装置は、一般に、表示部を保持する金属製のシャーシに、電子部品が実装された複数の基板が固定してある。そして、高電圧になる電子部品が実装された基板とシャーシとは、電子部品の高圧端子からシャーシへ放電が生じないように、所定の安全距離以上の間隔を保つようにしてある。
【０００４】
例えば、液晶パネルを有する表示部へ光源からの光を照射して、液晶パネルの各画素の明るさを制御して、画像表示面上に画像を表示する液晶表示装置においては、前記光源に電源を供給するインバータ回路基板が、特に高電圧となる。このため、従来の液晶表示装置においては、一般に、インバータトランス１６４ａ，１６４ａ…が実装されたインバータ回路基板１６４，１６４が、前記表示部及び光源であるランプ１５２，１５２…を保持する金属製のシャーシ１５１に、インバータ回路基板１６４，１６４と該インバータ回路基板１６４，１６４に対向する面１５１ａとを適長離隔した状態にて、インバータ回路基板１６４，１６４の４隅に設けられた略円柱状の金属製の介装体１０８，１０８…を介して取付けてある（図７及び図８参照）。介装体１０８，１０８…は、放電が生じないようにインバータ回路基板１６４，１６４をシャーシ１５１に適長離隔して取付けると共に、インバータ回路基板１６４，１６４をシャーシ１５１を介して接地すべく設けてある。
【０００５】
ところが、このような液晶表示装置等の表示装置においては、家、事務所等の一般生活環境にて使用されるため、暖かい場所を好むゴキブリ等の害虫が放熱口から侵入することがある。そしてインバータ回路基板１６４，１６４等の高電圧になる電子部品が実装された基板と接地電位のシャーシ１５１との隙間に害虫が侵入した場合、ショートが生じ、故障等の不具合の原因となる虞があった。また、インバータ回路基板１６４，１６４をシャーシ１５１に適長離隔して取付けると共に、インバータ回路基板１６４，１６４をシャーシ１５１を介して接地するために、介装体１０８，１０８…という別部材を必要としており、部品点数が多くなるという問題があった。
【０００６】
このような害虫による信頼性の低下を防ぐため、樹脂フィルムからなる袋内に電子回路部品を実装した基板を真空封止することにより、害虫の侵入を防止するように構成された基板が提案されている（例えば、特許文献１参照）。
【特許文献１】特開２００２−１３４８７４号公報
【発明の開示】
【発明が解決しようとする課題】
【０００７】
ところが、特許文献１に開示された発明を表示装置に適用した場合、基板自体を真空封止することは可能であるが、基板間並びに基板及び装置本体間を接続する接続部を基板と同様に真空封止することは困難であるから、害虫の侵入による不具合の発生を防止できないという問題があった。また、基板全面を樹脂フィルムにより覆っているため、基板に実装された電子部品にて生じる熱を外部に放熱し難いという問題があった。
【０００８】
本発明は斯かる事情に鑑みてなされたものであり、主たる目的は、電子部品が実装された基板に向けて突出する突出部を支持体に形成して、突出部を基板の周縁部の略全周に亘って当接させることにより、放熱性を確保すると共に、別部材を必要とせずに、基板及び支持体の対向面間への害虫の侵入を防止して、害虫の侵入による不具合の発生を防止し、製品の安全性を確保することができる表示装置を提供することにある。
【０００９】
また他の目的は、電子部品が実装された基板が固定された固定板に向けて突出する突出部を支持体に形成して、突出部を固定板の周縁部の略全周に亘って当接させ、例えば、複数の基板を固定板に固定することにより、放熱性を確保すると共に、基板及び支持体の対向面間への害虫の侵入を防止して、製品の安全性を確保することができ、基板の支持体への組込効率を向上することができる表示装置を提供することにある。
【００１０】
また他の目的は、電子部品が実装された基板及び支持体間に介装され、一面開口の筐体形状を有する固定台の開口端を略全周に亘って支持体に当接させ、例えば、複数の基板を固定台に固定することにより、放熱性を確保すると共に、基板及び支持体の対向面間への害虫の侵入を防止して、製品の安全性を確保することができ、基板の支持体への組込効率を向上することができる表示装置を提供することにある。
【課題を解決するための手段】
【００１１】
本発明に係る表示装置は、電子部品が一面に実装された基板と、該基板の他面に離隔して対向する面を有し、前記基板を支持する支持体とを備える表示装置において、前記支持体は、前記基板及び支持体の対向面間の空間を囲繞するように、前記基板に向けて突出し、該基板の他面の周縁部の略全周に亘って当接する突出部を有していることを特徴とする。
【００１２】
この発明にあっては、電子部品が実装された基板に向けて突出する突出部を支持体に形成して、突出部を基板の他面の周縁部の略全周に亘って当接させて、基板及び支持体の対向面間の空間を囲繞しているから、別部材を必要とせずに、前記対向面間への害虫の侵入を阻止せしめて、害虫の侵入による不具合の発生を防止し、製品の安全性を確保することができる。また、基板に実装された電子部品にて生じる熱は、基板の一面から空気に放熱される一方、基板の他面から支持体を介して外気に放熱されるから、放熱性を確保することができる。
【００１３】
また、本発明に係る表示装置は、電子部品が一面に実装された基板と、該基板の他面に離隔して対向する面を有し、前記基板を支持する支持体とを備える表示装置において、前記基板が一面に固定された固定板を備えており、前記支持体は、前記固定板及び支持体の対向面間の空間を囲繞するように、前記固定板に向けて突出し、該固定板の他面の周縁部の略全周に亘って当接する突出部を有していることを特徴とする。
【００１４】
この発明にあっては、電子部品が実装された基板を固定板の一面に固定し、支持体に固定板に向けて突出する突出部を形成して、該突出部を固定板の他面の周縁部の略全周に亘って当接させて、固定板及び支持体の対向面間の空間を囲繞しているから、前記対向面間への害虫の侵入を阻止せしめて、害虫の侵入による不具合の発生を防止し、製品の安全性を確保することができる。また、例えば、複数の基板を１枚の固定板に固定することにより、支持体への組込工数を低減することができ、また基板を固定板に固定する方が、基板を直接支持体に個別に取付けるよりも作業性が良く、組込効率を向上することができる。さらに、基板に実装された電子部品にて生じる熱は、基板の一面から空気に放熱される一方、基板の他面から固定板及び支持体を介して外気に放熱されるから、放熱性を確保することができる。
【００１５】
また、本発明に係る表示装置は、電子部品が一面に実装された基板と、該基板の他面に離隔して対向する面を有し、前記基板を支持する支持体とを備える表示装置において、前記基板及び支持体間に介装され、一面開口の筐体形状を有する固定台を備え、該固定台は、開口端を略全周に亘って前記支持体に当接させてあることを特徴とする。
【００１６】
この発明にあっては、電子部品が実装された基板及び支持体間に一面開口の筐体形状を有する固定台を介装し、該固定台の開口端を略全周に亘って支持体に当接させているから、基板及び支持体の対向面間への害虫の侵入を阻止せしめて、害虫の侵入による不具合の発生を防止し、製品の安全性を確保することができる。また、例えば、複数の基板を一つの固定台に固定することにより、支持体への組込工数を低減することができ、また基板を固定台に固定する方が、基板を直接支持体に個別に取付けるよりも作業性が良く、組込効率を向上することができる。さらに、基板に実装された電子部品にて生じる熱は、基板の一面から空気に放熱される一方、基板の他面から固定台及び支持体を介して外気に放熱されるから、放熱性を確保することができる。
【発明の効果】
【００１７】
本発明によれば、支持体に形成した突出部を基板の周縁部の略全周に亘って当接させることにより、放熱性を確保すると共に、別部材を必要とせずに、基板及び支持体の対向面間への害虫の侵入を防止して、害虫の侵入による不具合の発生を防止し、製品の安全性を確保することができる。
【００１８】
また、本発明によれば、支持体に形成した突出部を基板が固定された固定板の周縁部の略全周に亘って当接させることにより、放熱性を確保すると共に、基板及び支持体の対向面間への害虫の侵入を防止して、害虫の侵入による不具合の発生を防止し、製品の安全性を確保することができる。また、例えば、複数の基板を１枚の固定板に固定することにより、支持体への組込工数を低減することができ、また基板を固定板に固定する方が、基板を直接支持体に個別に取付けるよりも作業性が良く、組込効率を向上することができる。
【００１９】
また、本発明によれば、基板及び支持体間に介装され、一面開口の筐体形状を有する固定台の開口端を略全周に亘って支持体に当接させることにより、放熱性を確保すると共に、基板及び支持体の対向面間への害虫の侵入を防止して、害虫の侵入による不具合の発生を防止し、製品の安全性を確保することができる。また、例えば、複数の基板を一つ固定台に固定することにより、支持体への組込工数を低減することができ、また基板を固定台に固定する方が、基板を直接支持体に個別に取付けるよりも作業性が良く、組込効率を向上することができる。
【発明を実施するための最良の形態】
【００２０】
以下、本発明をその実施の形態を示す図面に基づいて、液晶テレビを例にして詳述する。
（実施の形態１）
図１は、本発明の実施の形態１に係る表示装置の構成を示す斜視図である。
【００２１】
図において１は、画像を表示する表示面１ａを前側に有する液晶パネルと、該液晶パネルの後側に配置された拡散板等の光学シートとを備えてなる表示部である。
【００２２】
表示部１の前側には、表示面１ａの周縁部を取り囲むように矩形枠状のフレーム２が被嵌してあり、該フレーム２には、表示部１の後側を覆うリアカバー３が嵌合してある。フレーム２及びリアカバー３により保持される表示部１は、スタンド４により起立状態にて支持してある。
【００２３】
表示部１の後側には、表示部１へ光を照射する光源を備えるバックライト部が設けてある。図２は、バックライト部の後側の構成を示す模式的斜視図である。図３は、図２の III−III 線による部分断面図であり、図４は、図２のIV−IV線による部分断面図である。
【００２４】
バックライト部５は、一面全面開口の筐体形状を有する金属製のシャーシ５１を備えており、該シャーシ５１は、開口の側にて表示部１と一体化してある。シャーシ５１の後面５１ａの両側には、図２に示すように、後面５１ａに直交する方向に突出し、上下方向が長手方向になる細長い環状の第１突出部５１ｂ，５１ｂが夫々形成してある。さらに、シャーシ５１の後面５１ａの中央部には、図２に示すように、後面５１ａに直交する方向に突出する環状の第２突出部５１ｃが形成してある。なお、第１突出部５１ｂ，５１ｂ及び第２突出部５１ｃは、全周に亘って略同一高さになるように、押出加工等により略同一の肉厚にて出っ張らせるように夫々形成してある。
【００２５】
シャーシ５１の内部には、前記光学シートの後側に上下に並置され、該光学シートの側へ光を照射する複数本のランプ５２，５２…が収容保持されている。ランプ５２，５２…は、略円筒形をなす冷陰極蛍光ランプであり、両端部に夫々電極を有している。
【００２６】
また、シャーシ５１の後面５１ａの上側には、表示部１の駆動及び制御を行う制御回路が実装された制御回路基板６１が取付けてある。シャーシ５１の後面５１ａの中央部には、矩形平板状の固定板７が、第２突出部５１ｃの頂面に周方向へ離隔して設けられた複数の螺子穴５１ｅ，５１ｅ…に螺子６６，６６…を螺合させて固定してある。
【００２７】
この固定板７には、表示部１に表示する画像を処理するメイン回路部品が実装されたメイン回路基板６２と、該メイン回路基板６２に電圧を供給する電源回路部品が実装された電源回路基板６３とが並設して螺子６７，６７…により固定してある。なお、第２突出部５１ｃは、固定板７の周縁部の全周に亘って当接するように、固定板７よりも若干小さい内周を有する環状に形成してある。第２突出部５１ｃの突出高さは、メイン回路基板６２及び電源回路基板６３の高圧端子からシャーシ５１へ放電が生じないように、メイン回路基板６２及び電源回路基板６３とこれらに対向するシャーシ５１の後面５１ａとが、所定の安全距離以上の間隔を保つように決定してある。
【００２８】
さらに、シャーシ５１の後面５１ａの両側には、細長い矩形平板状をなす２枚のインバータ回路基板６４，６４が、図２に示す如く、インバータ回路基板６４，６４の長手方向を上下方向にして、第１突出部５１ｂ，５１ｂの頂面に周方向へ離隔して設けられた複数の螺子穴５１ｄ，…５１ｄに螺子６６，６６…を螺合させて固定してある。
【００２９】
インバータ回路基板６４，６４には、図中に扁平な直方体にて示している複数のインバータトランス６４ａ，６４ａ…が上下に並置してある。なお、第１突出部５１ｂ，５１ｂは、インバータ回路基板６４，６４の周縁部の全周に亘って当接するように、インバータ回路基板６４，６４よりも若干小さい内周を有する環状に形成してある。第１突出部５１ｂ，５１ｂの突出高さは、インバータトランス６４ａ，６４ａ…の高圧端子からシャーシ５１へ放電が生じないように、インバータトランス６４ａ，６４ａ…と該インバータトランス６４ａ，６４ａ…に対向するシャーシ５１の後面５１ａとが、所定の安全距離以上の間隔を保つように決定してある。
【００３０】
インバータ回路基板６４，６４に入力された電圧は、インバータトランス６４ａ，６４ａ…により昇圧され、リード線（図示せず）を介してランプ５２，５２…の両端に設けられた電極に供給される。この供給された電圧によりランプ５２，５２…が発光し、該発光により表示部１に光が照射される。この光の照射により表示部１の液晶パネルの各画素において所定の階調電圧に応じた光透過率によって各画素の明るさが制御され、表示面１ａ上に画像が表示されることになる。
【００３１】
以上のように構成された表示装置においては、シャーシ５１に形成された第１突出部５１ｂ，５１ｂの頂面をインバータ回路基板６４，６４の周縁部の全周に亘って当接させて、インバータ回路基板６４，６４及びシャーシ５１の対向面間の空間を囲繞しているから、インバータ回路基板６４，６４とシャーシ５１との対向面間へのゴキブリ等の害虫の侵入を阻止することができ、害虫の侵入による不具合の発生を防止して製品の安全性を確保することができる。また、シャーシ５１に第１突出部５１ｂ，５１ｂを形成しているから、別部材を必要とすることなく、インバータ回路基板６４，６４及びシャーシ５１の対向面間の間隔を所定の安全距離以上に保ちつつインバータ回路基板６４，６４をシャーシ５１に取付けることができると共に、インバータ回路基板６４，６４をシャーシ５１を介して接地することができる。
【００３２】
また、シャーシ５１に形成された環状の第２突出部５１ｃの頂面を固定板７の周縁部の全周に亘って当接させて、固定板７及びシャーシ５１の対向面間の空間を囲繞しているから、メイン回路基板６２及び電源回路基板６３とシャーシ５１との対向面間へのゴキブリ等の害虫の侵入を阻止することができ、害虫の侵入による不具合の発生を防止して製品の安全性を確保することができる。メイン回路基板６２及び電源回路基板６３の２枚の基板を１枚の固定板７に取付けて固定板７をシャーシ５１に固定しているから、シャーシ５１への組込工数を低減することができる。メイン回路基板６２及び電源回路基板６３を固定板７に固定する方が、メイン回路基板６２及び電源回路基板６３を直接シャーシ５１に個別に取付けるよりも作業性が良く、組込効率を向上することができる。
【００３３】
さらに、メイン回路基板６２、電源回路基板６３及びインバータ回路基板６４，６４に実装された電子部品にて生じる熱は、これら基板６２，６３，６４，６４の一面から空気に放熱される一方、基板６２，６３，６４，６４の他面から固定板７及び／又はシャーシ５１を介して外気に放熱されるから、放熱性を確保することができる。
【００３４】
なお、本実施の形態においては、第１突出部５１ｂ，５１ｂの頂面に螺子穴５１ｄ，…５１ｄを設けているが、これに限定されず、例えば、第１突出部５１ｂ，５１ｂ以外のシャーシ５１に螺子穴を設けもよい。第２突出部５１ｃについても同様である。
【００３５】
（実施の形態２）
図５は、実施の形態２に係る表示装置のバックライト部の後側の構成を示す模式的斜視図であり、図６は、図５のVI−VI線による部分断面図である。
【００３６】
シャーシ５１の後面５１ａの中央部には、一面開口の筐体形状を有する固定台７０が取付けてある。固定台７０は、平板部７０ａと、該平板部７０ａの周縁から略直交する方向に延びる周壁部７０ｂと、該周壁部７０ｂの端部から外向きに平板部７０ａと平行をなして延びる鍔部７０ｃとを有しており、開口の側を全周に亘ってシャーシ５１の後面５１ａに当接させて、シャーシ５１に設けられた螺子穴５１ｆ，５１ｆ…に螺子６６，６６…を螺合させて固定してある。
【００３７】
固定台７０の平板部７０ａには、表示部１に表示する画像を処理するメイン回路部品が実装されたメイン回路基板６２と、該メイン回路基板６２に電圧を供給する電源回路部品が実装された電源回路基板６３とが並設して螺子６７，６７…により固定してある。固定台７０の周壁部７０ｂの高さは、メイン回路基板６２及び電源回路基板６３の高圧端子からシャーシ５１へ放電が生じないように、メイン回路基板６２及び電源回路基板６３とこれらに対向するシャーシ５１の後面５１ａとが、所定の安全距離以上の間隔を保つように決定してある。その他の構成は、図２に示す実施の形態１と同様であるため、対応する構成部材に図２と同一の参照符号を付して、その構成の詳細な説明を省略する。
【００３８】
以上のように構成された実施の形態２に係る表示装置においては、メイン回路基板６２及び電源回路基板６３が固定された平板部７０ａを有する固定台７０を、該固定台７０の周壁部７０ｂの端部を全周に亘ってシャーシ５１に当接させているから、メイン回路基板６２及び電源回路基板６３とシャーシ５１との対向面間へのゴキブリ等の害虫の侵入を阻止することができ、害虫の侵入による不具合の発生を防止して製品の安全性を確保することができる。また、メイン回路基板６２及び電源回路基板６３の２枚の基板を一つの固定台７０に取付けて固定台７０をシャーシ５１に固定しているから、シャーシ５１への組込工数を低減することができ、また基板を固定台７０に固定する方が、基板を直接シャーシ５１に個別に取付けるよりも作業性が良く、組込効率を向上することができる。
【００３９】
さらに、メイン回路基板６２及び電源回路基板６３に実装された電子部品にて生じる熱は、これら基板６２，６３の一面から空気に放熱される一方、基板６２，６３の他面から固定台７０及びシャーシ５１を介して外気に放熱されるから、放熱性を確保することができる。
【００４０】
なお、本実施の形態において、固定台７０をシャーシ５１に取付けるべく、固定台７０の周壁部７０ｂの端部から外向きに平板部７０ａと平行をなして延びる鍔部７０ｃを設けているが、これに限定されず、固定台７０をシャーシ５１に取付け可能なように構成してあればよい。
【００４１】
なお、以上の実施の形態においては、メイン回路基板６２、電源回路基板６３及びインバータ回路基板６４，６４について、基板とシャーシ５１とを適長離隔して対向させつつ、対向面間に害虫等が侵入しないように構成してあるが、制御回路基板６１についても同様に構成してもよい。
【００４２】
また、以上の実施の形態において、表示装置として液晶テレビを例に説明したが、これに限定されず、液晶テレビ以外の液晶表示装置、プラズマ表示装置、ＥＬディスプレイ等の表示装置にも適用可能であり、その他、特許請求の範囲に記載した事項の範囲内において種々変更した形態にて実施することが可能であることは言うまでもない。
【図面の簡単な説明】
【００４３】
【図１】本発明の実施の形態１に係る表示装置の構成を示す斜視図である。
【図２】バックライト部の後側の構成を示す模式的斜視図である。
【図３】図２の III−III 線による部分断面図である。
【図４】図２のIV−IV線による部分断面図である。
【図５】実施の形態２に係る表示装置のバックライト部の後側の構成を示す模式的斜視図である。
【図６】図５のVI−VI線による部分断面図である。
【図７】従来の実施の形態に係る表示装置のバックライト部の後側の構成を示す模式的斜視図である。
【図８】図７のVIII−VIII線による部分断面図である。
【符号の説明】
【００４４】
５１  シャーシ（支持体）
５１ｂ  第１突出部（突出部）
５１ｃ  第２突出部（突出部）
６２  メイン回路基板（基板）
６３  電源回路基板（基板）
６４  インバータ回路基板（基板）
７  固定板
７０  固定台
【図１】
2009069182.tif 000003
【図２】
2009069182.tif 000004
【図３】
2009069182.tif 000005
【図４】
2009069182.tif 000006
【図５】
2009069182.tif 000007
【図６】
2009069182.tif 000008
【図７】
2009069182.tif 000009
【図８】
2009069182.tif 000010